【手続補正書】
【提出日】平成25年3月26日(2013.3.26)
【手続補正１】
【補正対象書類名】特許請求の範囲
【補正対象項目名】全文
【補正方法】変更
【補正の内容】
【特許請求の範囲】
【請求項１】
さまざまな様式のワイパーアーム端（３０２、３０４、３０８、３１０、３１２、３１４、３１６）のいずれかにワイパーブレード（２０、１０２）を連結するためのコネクタ（１００）であって：
中央本体セクション（２００）を含み、前記中央本体セクション（２００）は、リベットを受けるソケット（２０２）、概ね平面の上側ランディング（２０４）、概ね平面の下側折返（２０６）、および前記上側ランディング（２０４）と前記下側折返（２０６）との間において延在する前方ノーズ輪郭（２０８）を含み；前記コネクタはさらに、
前記中央本体セクション（２００）によってそれぞれの内側面で相互接続される側部の対（２１０）を含み、前記側部（２１０）は、前記ノーズ輪郭（２０８）を越えて突出する片持ち延長部分（２１２）を含み；少なくとも一方の前記側部（２１０）の片持ち延長部分（２１２）の内側面に配置され、隙間によって前記下側折返（２０６）の面より下に設定される９ｘ４停止部（２１４）を含み；
各側部（２１０）は、異なる径のワイパーアームサイドピン（３０２、３０４）を受けるよう適合される、横断するように延在するピン穴（２１６）をさらに含み；前記コネクタはさらに、
前記中央本体セクション（２００）から延在し、前記側部（２１０）の間に配置される可撓性舌部（２２２）を含み、前記舌部（２２２）は、概ね前記ピン穴（２１６）の間に配置され、前記ワイパーアームサイドピン（３０２、３０４）を係合するための、少なくとも１つの爪（２２４、２２６）と、ワイパーアームフック（３１６）におけるｄｉｎスロット（３２０）凹部を係合するための歯（３１８）とを含む、コネクタ。
【請求項２】
前記隙間は３ｍｍ以上４ｍｍ未満である、請求項１に記載のコネクタ（１００）。
【請求項３】
前記ピン穴（２１６）は、より大きなローブ（２１８）と、重なる、より小さなローブ（２２０）とによって規定される、概ね数字「８」の形状を有する、請求項１に記載のコネクタ（１００）。
【請求項４】
各前記ローブ（２１８、２２０）は１８０度を超える内周を有する、請求項３に記載のコネクタ（１００）。
【請求項５】
前記側部（２１０）の少なくとも一方は、その内側面に配置され、前記隙間によって前記下側折返（２０６）の面より下に設定される９ｘ４支持レール（２２８）を含む、請求項１に記載のコネクタ（１００）。
【請求項６】
前記可撓性舌部（２２２）の前記少なくとも１つの爪（２２４、２２６）は、縁が扇形の爪の対（２２４、２２６）を含む、請求項１に記載のコネクタ（１００）。
【請求項７】
前記中央本体セクション（２００）から間隔を置かれ、前記側部（２１０）を相互接続する後部９ｘ４レスト部（３２２）をさらに含む、請求項１に記載のコネクタ（１００）。
【請求項８】
前記中央本体セクション（２００）から間隔を置かれ、前記側部（２１０）を相互接続するストレートアームスロット（３２４）をさらに含む、請求項１に記載のコネクタ（１００）。
【請求項９】
さまざまな様式のワイパーアーム端（３０２、３０４、３０８、３１０、３１２、３１４、３１６）のいずれかにワイパーブレード（２０、１０２）を連結するためのコネクタ（１００）であって：
中央本体セクション（２００）を含み、前記中央本体セクション（２００）は、リベットを受けるソケット（２０２）、概ね平面の上側ランディング（２０４）、概ね平面の下側折返（２０６）、および前記上側ランディング（２０４）と前記下側折返（２０６）との間において延在する前方ノーズ輪郭（２０８）を含み；前記コネクタはさらに、
前記中央本体セクション（２００）によってそれぞれの内側面で相互接続される側部の対（２１０）を含み、前記側部（２１０）は、前記ノーズ輪郭（２０８）を越えて突出する片持ち延長部分（２１２）を含み；少なくとも一方の前記側部（２１０）の片持ち延長部分（２１２）の内側面に配置され、３ｍｍ以上４ｍｍ未満の隙間によって前記下側折返（２０６）の面より下に設定される９ｘ４停止部（２１４）を含み；
各側部（２１０）は、さらに、より大きなローブ（２１８）と、重なる、より小さなローブ（２２０）とを有するピン穴（２１６）を含み；前記側部（２１０）の少なくとも一方は、その内側面に配置され、前記隙間によって前記下側折返（２０６）の面より下に設定される９ｘ４支持レール（２２８）を含み；前記コネクタはさらに、
前記中央本体セクション（２００）から延在し、前記側部（２１０）の間に配置される可撓性舌部（２２２）を含み、前記舌部（２２２）は、前記側部（２１０）の概ね前記ピン穴（２１６）の間に配置される少なくとも１つの爪（２２４、２２６）を含み；前記舌部（２２２）は、さらに、前記少なくとも１つの爪（２２４、２２６）に対向する歯（３１８）を含み；前記コネクタはさらに、
前記中央本体セクション（２００）から間隔を置かれ、前記側部（２１０）を相互接続する後部９ｘ４レスト部（３２２）、およびストレートアームスロット（３２４）を含む、コネクタ（１００）。
【請求項１０】
さまざまなサイズのサイドピン式ワイパーアーム（３００，３０２，３０４，３０６）のいずれかに対応するためのワイパーアセンブリ（２０，１０２）であって、
ワイピング要素（２２）とブリッジ部分（３６、５４，１０４）とを含むワイパーブレード（２０，１０２）を含み、前記ブリッジ部分は、振動するワイパーアームへの接続の点をあたえ、前記ブリッジ部分は、間隔を置かれた耳部の対（５８）、前記耳部（５８）間において横断するように延在するリベット（７８）、および前記リベット（７８）からずれ、前記耳部の対（５８）を通って整列させられた態様で延在する少なくとも１つの貫通穴（８０）を含み；前記ワイパーアセンブリはさらに、
自由揺動端を有するワイパーアームを含み、前記自由端は横断するように延在するサイドピン（３０２，３０４，３０６）を含み；前記ワイパーアセンブリはさらに、
前記ワイパーブレード（２０，１０２）の前記ブリッジ部分（３６，５４，１０４）を前記ワイパーアームの前記サイドピン（３０４，３０２）に相互接続するためのコネクタ（１００）を含み；
前記コネクタ（１００）は、リベットを受けるソケット（２０２）を有する中央本体セクション（２００）と、前記中央本体セクション（２００）によってそれぞれの内側面で相互接続される側部の対（２１０）とを含み；
各側部（２１０）は、異なる径のワイパーアームサイドピン（３０２、３０４、３０６）を受けるよう適合される、横断するように延在するピン穴（２１６）を含み；および、
前記コネクタ（１００）は、前記中央本体セクション（２００）から延在し、前記側部（２１０）の間に配置される可撓性舌部（２２２）をさらに含み、前記舌部（２２２）は、概ね前記ピン穴（２１６）の間に配置され、前記ワイパーブレード（２０，１０２）からの接続解除に抗して保持されるようにロックされた係合においてワイパーアームサイドピン（３０２，３０４，３０６）を係合するための、少なくとも１つの爪（２２４、２２６）を含む、ワイパーアセンブリ。
【請求項１１】
前記ピン穴（２１６）は、より大きなローブ（２１８）と、重なる、より小さなローブ（２２０）とによって規定される、概ね数字「８」の形状を有する、請求項１０に記載のワイパーアセンブリ（２０，１０２）。
【請求項１２】
各前記ローブ（２１８、２００）は１８０度を超える内周を有する、請求項１１に記載のワイパーアセンブリ（２０，１０２）。
【請求項１３】
前記可撓性舌部（２２２）の前記少なくとも１つの爪（２２４、２２６）は、縁が扇形の爪の対（２２４、２２６）を含む、請求項１０に記載のワイパーアセンブリ（２０，１０２）。
【請求項１４】
前記コネクタ（１００）はさらに：
概ね平面の上側ランディング（２０４）、概ね平面の下側折返（２０６）、および前記上側ランディング（２０４）と前記下側折返（２０６）との間において延在する前方ノーズ輪郭（２０８）を含み；
前記コネクタ（１００）は、前記中央本体セクション（２００）によってそれぞれの内側面で相互接続される側部の対（２１０）を含み、前記側部（２１０）は、前記ノーズ輪郭（２０８）を越えて突出する片持ち延長部分（２１２）を含み；少なくとも一方の前記側部（２１０）の片持ち延長部分（２１２）の内側面に配置され、隙間によって前記下側折返（２０６）の面より下に設定される９ｘ４停止部（２１４）を含み；
前記舌部（２２２）は歯（３１８）を含む、請求項１０に記載のワイパーアセンブリ（２０，１０２）。
【請求項１５】
９ｘ３フック様式ワイパーアーム（３１６）および９ｘ４フック様式ワイパーアーム（３１０，３１２，３１４）に代替的に対応するためのワイパーアームアセンブリ（２０，１０２）であって、
ワイピング要素（２２）とブリッジ部分（３６，５４，１０４）とを含むワイパーブレード（２０，１０２）を含み、前記ブリッジ部分は、振動するワイパーアームへの接続の点をあたえ、前記ブリッジ部分は、間隔を置かれた耳部の対（５８）、前記耳部（５８）間において横断するように延在するリベット（７８）、および前記リベット（７８）からずれ、前記耳部の対（５８）を通って整列させられた態様で延在する少なくとも１つの貫通穴（８０）を含み；前記ワイパーアームアセンブリはさらに、
自由揺動端を有するワイパーアームを含み、前記自由端は、より小さな９ｘ３様式（３１６）またはより大きな９ｘ４様式（３１０，３１２，３１４）のいずれかを含むフック形成（３１０，３１２，３１４，３１６）を含み；前記ワイパーアームアセンブリはさらに、
前記ワイパーブレード（２０，１０２）の前記ブリッジ部分（３６，５４，１０４）を前記ワイパーアームの前記フック形成（３１０，３１２，３１４，３１６）に相互接続するためのコネクタ（１００）を含み；
前記コネクタ（１００）は中央本体セクション（２００）を含み、前記中央本体セクション（２００）は、リベットを受けるソケット（２０２）、概ね平面の上側ランディング（２０４）、概ね平面の下側折返（２０６）、および前記上側ランディングと前記下側折返（２０６）との間において延在する前方ノーズ輪郭（２０８）を含み；
前記コネクタ（１００）は、前記中央本体セクション（２００）によってそれぞれの内側面で相互接続される側部の対（２１０）を含み、前記側部（２１０）は、前記ノーズ輪郭（２０８）を越えて突出する片持ち延長部分（２１２）を含み；少なくとも一方の前記側部（２１０）の前記片持ち延長部分（２１２）の内側面に配置され、隙間によって前記下側折返（２０６）の面より下に設定される９ｘ４停止部（２１４）を含み；前記ワイパーアームアセンブリはさらに、
前記中央本体セクション（２００）から延在し、前記側部（２１０）の間に配置される可撓性舌部（２２２）を含み、前記舌部（２２２）は、前記９ｘ３ワイパーアームフック（３１６）におけるｄｉｎスロット凹部（３２０）を係合するための歯（３１８）を含む、ワイパーアームアセンブリ（２０，１０２）。
【請求項１６】
前記隙間は３ｍｍ以上４ｍｍ未満である、請求項１５に記載のワイパーアセンブリ（２０，１０２）。
【請求項１７】
前記側部（２１０）の少なくとも一方は、その内側面に配置され、前記隙間によって前記下側折返（２０６）の面より下に設定される９ｘ４支持レール（２２８）を含む、請求項１５に記載のワイパーアセンブリ（２０，１０２）。
【請求項１８】
前記中央本体セクション（２００）から間隔を置かれ、前記側部（２１０）を相互接続する後部９ｘ４レスト部（３２２）をさらに含む、請求項１５に記載のワイパーアセンブリ（２０，１０２）。
【請求項１９】
ストレートアームスロット（３２４）をさらに含む、請求項１５に記載のワイパーアセンブリ（２０，１０２）。
【請求項２０】
前記コネクタ（１００）は、各前記側部（２１０）において、異なる径のワイパーアームサイドピン（３０２、３０４、３０６）を受けるよう適合される横断するように延在するピン穴（２１６）をさらに含み；前記可撓性舌部（２２２）は、概ね前記ピン穴（２１６）の間に配置される少なくとも１つの爪（２２４、２２６）を含む、請求項１５に記載のワイパーアセンブリ（２０，１０２）。